(57)【要約】【課題】剣を持ったときの装着者の掌と剣との一体感が得られ易く、剣の操作性が向上するフェンシング用手袋を提供すること。【解決手段】本発明のフェンシング用手袋１は、装着者の掌側の掌部３を備える。掌部３が、４本の指に対応する四指領域６と、親指領域７と、それらの間に位置する中間領域８とを有する。四指領域６の下方周縁部６ｋと中間領域８の上方周縁部８ｊとが第１縫製部１１によって、且つ中間領域８の側縁部８ｓと親指領域７の側縁部７ｓとが第２縫製部１２によって互いに縫い付けられている。掌部３側から平面視して、四指領域６における人差指部２２及び中指部２３の間の底部２６と、四指領域６における薬指部２４及び小指部２５の間の底部２７とを結ぶ仮想線ＩＬの傾きよりも急になるように、第１縫製部１１が斜め下方に直線状に延びており、第２縫製部１２が凸の円弧状に延びる部分１２ａを有する。【選択図】図６
2020196976.tif 000002
【特許請求の範囲】
【請求項１】
装着者の掌側に配される掌部を備えたフェンシング用手袋であって、
前記掌部が、装着者の人差指、中指、薬指及び小指の４本の指に対応する四指領域と、装着者の親指から母指球に亘って対応する親指領域と、該四指領域及び該親指領域の間に位置し、且つ装着者の人差指及び親指の間の位置から装着者の小指球に亘って対応する中間領域とを有し、
前記四指領域における下方周縁部と前記中間領域における上方周縁部とが第１縫製部により互いに縫い付けられ、且つ前記中間領域における前記親指領域側の側縁部と該親指領域における該中間領域側の側縁部とが第２縫製部により互いに縫い付けられており、
前記フェンシング用手袋を前記掌部側から平面視して、前記四指領域を構成する人差指部及び中指部の間の底部と、該四指領域を構成する薬指部及び小指部の間の底部とを結ぶ仮想線の傾きよりも急になるように、前記第１縫製部が該人差指部の根元側から斜め下方に直線状に延びており、前記第２縫製部が該第１縫製部側に凸の円弧状に延びる部分を有している、フェンシング用手袋。
【請求項２】
剣を握ったときに、該剣のグリップの延びる方向と、前記第１縫製部の延びる方向とが略一致している、請求項１に記載のフェンシング用手袋。
【請求項３】
前記フェンシング用手袋を前記掌部側から平面視して、前記第１縫製部と、前記第２縫製部とは、装着者の人差指側において、互いに平行に延びる部分を有している、請求項１又は２に記載のフェンシング用手袋。
【請求項４】
剣を握ったときに、該剣のグリップの延びる方向と、前記平行に延びる部分の延びる方向とが略一致している、請求項３に記載のフェンシング用手袋。
【請求項５】
前記第１縫製部と前記仮想線とがなす鋭角は、５°以上６０°以下である、請求項１〜４の何れか１項に記載のフェンシング用手袋。
【請求項６】
前記四指領域、前記中間領域及び前記親指領域の中で、該親指領域の剛軟度が最も低い、請求項１〜５の何れか１項に記載のフェンシング用手袋。
【請求項７】
前記四指領域、前記中間領域及び前記親指領域の中で、該親指領域の貫通強さが最も大きい、請求項１〜６の何れか１項に記載のフェンシング用手袋。
【請求項８】
前記第２縫製部の接合強度が、前記第１縫製部の接合強度よりも大きい、請求項１〜７の何れか１項に記載のフェンシング用手袋。
【発明の詳細な説明】
【技術分野】
【０００１】
本発明は、フェンシング用手袋に関する。
【背景技術】
【０００２】
フェンシング用の手袋には、練習や試合等において、相手の攻撃時の剣から手を保護する機能のみならず、剣を操作し易くする機能が要求される。特に剣の操作性を向上させるためには、フェンシング用の手袋を装着して剣を持ったときの装着者の掌と剣との一体感が大切となる。フェンシングとは別のスポーツであるが、フェンシングと同様に剣を操作するスポーツとしては、剣道が挙げられる。剣道用の籠手として、例えば、特許文献１に記載の剣道用籠手が知られている。
【０００３】
特許文献１に記載の剣道用籠手には、剣としての竹刀を握ったときに、該剣道用籠手における装着者の掌側の手平部に多数の皺が生じて握り難くならないように、手平部の長さ寸法を縮小する縮寸加工が施されている。
【先行技術文献】
【特許文献】
【０００４】
【特許文献１】国際公開第２００５／０１４１２３号パンフレット
【発明の概要】
【発明が解決しようとする課題】
【０００５】
フェンシング用の手袋は、ピストル型のベルギアンスタイルの剣におけるグリップにも、ストレート型のフレンチスタイルの剣におけるグリップにも対応するように形成する必要がある。そしてフェンシングは、片手の手袋のみで剣を操作する必要がある。一方、特許文献１に記載の剣道用籠手は、竹刀のストレートなグリップしか想定していない。また同文献には、施した縮寸加工の配置位置に関しては何ら具体的に開示されていない。剣道は、フェンシングと異なり、両手の籠手を介して剣を操作するものである。フェンシング用の手袋は、剣道用籠手以上に、剣を持ったときの装着者の掌と剣との一体感が重要となる。
【０００６】
したがって本発明の課題は、剣を持ったときの装着者の掌と剣との一体感が得られ易く、剣の操作性が向上するフェンシング用手袋を提供することにある。
【課題を解決するための手段】
【０００７】
本発明は、装着者の掌側に配される掌部を備えたフェンシング用手袋であって、
前記掌部が、装着者の人差指、中指、薬指及び小指の４本の指に対応する四指領域と、装着者の親指から母指球に亘って対応する親指領域と、該四指領域及び該親指領域の間に位置し、且つ装着者の人差指及び親指の間の位置から装着者の小指球に亘って対応する中間領域とを有し、
前記四指領域における下方周縁部と前記中間領域における上方周縁部とが第１縫製部により互いに縫い付けられ、且つ前記中間領域における前記親指領域側の側縁部と該親指領域における該中間領域側の側縁部とが第２縫製部により互いに縫い付けられており、
前記フェンシング用手袋を前記掌部側から平面視して、前記四指領域を構成する人差指部及び中指部の間の底部と、該四指領域を構成する薬指部及び小指部の間の底部とを結ぶ仮想線の傾きよりも急になるように、前記第１縫製部が該人差指部の根元側から斜め下方に直線状に延びており、前記第２縫製部が該第１縫製部側に凸の円弧状に延びる部分を有している、フェンシング用手袋を提供するものである。
【発明の効果】
【０００８】
本発明によれば、剣を持ったときの装着者の掌と剣との一体感が得られ易く、剣の操作性が向上するフェンシング用手袋を提供できる。
【図面の簡単な説明】
【０００９】
【図１】図１は、本発明のフェンシング用手袋の一実施形態を示す斜視図である。
【図２】図２は、図１に示すフェンシング用手袋を装着した状態を掌部側から視た平面図である。
【図３】図３は、図２に示す装着者の手を掌側から視た平面図である。
【図４】図４は、図１に示すフェンシング用手袋の掌部を形成する前の四指領域の部分、中間領域の部分及び親指領域の部分、それぞれの平面図である。
【図５】図５は、図４に示す四指領域の部分、中間領域の部分及び親指領域の部分を互いに縫製してなる掌部の平面図である。
【図６】図６は、図１に示すフェンシング用手袋を掌部側から平面視した一部破断平面図である。
【図７】図７（ａ）は、図１に示すフェンシング用手袋によりベルギアンスタイルの剣のグリップを握った状態を示す斜視図であり、図７（ｂ）は、図１に示すフェンシング用手袋によりフレンチスタイルの剣のグリップを握った状態を示す斜視図である。
【発明を実施するための形態】
【００１０】
以下、本発明を、その好ましい実施形態に基づき図面を参照しながら説明する。
図１及び図２には本発明のフェンシング用手袋の一実施形態であるフェンシング用手袋１の斜視図が示されている。本実施形態のフェンシング用手袋１（以下、単に「手袋１」ともいう）は、図１及び図２に示すように、装着者の手を収容して、フェンシングの練習中や試合中等の競技中において、相手の攻撃時の剣から手を保護する役割を担うものである。手袋１は、装着者の手の指先側から手首側に延びる縦方向Ｘと、これに直交する横方向Ｙとを有する縦長の形状をしている。同図に示す手袋１は、右手用の手袋である。左手用のフェンシング用手袋の場合には、右手用の手袋１と左右対称の構造となる。
【００１１】
手袋１は、図１及び図２に示すように、装着者の指を収容する指袋２を備え、指袋２が、５本の指の形に分枝しており、親指部２１、人差指部２２、中指部２３、薬指部２４及び小指部２５を有している。このように、手袋１は、装着者の指である親指、人差指、中指、薬指及び小指をそれぞれ収容する親指部２１、人差指部２２、中指部２３、薬指部２４及び小指部２５がそれぞれ独立した形態となっている。
【００１２】
手袋１は、図１及び図２に示すように、装着者の掌側に配されるシート状の掌部３と、装着者の手の甲側に配されるシート状の甲部４と、掌部３と甲部４との間に配されるシート状の襠部５とを備えている。手袋１は、掌部３の周縁部と甲部４の周縁部とを、襠部５を介して縫製により縫い付けて形成されている。手袋１を立体的に形成する観点から、襠部５は、手袋１の親指部２１に加えて、人差指部２２に配されている。
【００１３】
甲部４は、図１に示すように、装着者の手の甲側における５本の指を含む手形に形成されている。甲部４は、１枚のシート状の部材を用いて形成されていてもよく、２枚以上のシート状の部材を用い、それらを例えば手袋１の縦方向Ｘに繋ぎ合わせて形成されていてもよい。
【００１４】
掌部３は、図２に示すように、装着者の人差指、中指、薬指及び小指の４本の指に対応するシート状の四指領域６と、装着者の親指から母指球に亘って対応するシート状の親指領域７と、四指領域６及び親指領域７の間に位置し、且つ装着者の人差指及び親指の間の位置から装着者の小指球に亘って対応するシート状の中間領域８との少なくとも３つのシート部材を有している。ここで「母指球」とは、図３に示すように、装着者の掌における親指の付け根よりも手首側において肉が盛り上がっている部分のことを意味する。また「小指球」とは、図３に示すように、装着者の掌における小指の付け根よりも手首側において肉が盛り上がっている部分のことを意味する。
【００１５】
掌部３を形成する前の四指領域６は、図４に示すように、掌部３における主に指袋２部分に対応しており、装着者の手における人差指、中指、薬指及び小指という４本の指の形に分岐して形成されている。四指領域６は、縦方向Ｘにおいて、その手首側の下方周縁部６ｋが指先側に凸の略円弧状に形成されている。
【００１６】
掌部３を形成する前の親指領域７は、図４に示すように、掌部３における主に親指部２１側の側部部分に対応しており、装着者の手における親指と母指球とを含む形に形成されている。親指領域７は、母指球に対応する部分が外方に凸の略円弧状に形成されている。
【００１７】
掌部３を形成する前の中間領域８は、図４に示すように、掌部３における四指領域６と親指領域７との間に位置する部分であり、装着者の手における人差指及び親指の間の位置から、該手における小指側の側部部分及び手首側の下方部分を含む形に形成されている。中間領域８は、縦方向Ｘにおいて、その指先側の上方周縁部８ｊが手首側に凸の略円弧状に形成されている。
【００１８】
図５に示すように、四指領域６の下方周縁部６ｋと中間領域８の上方周縁部８ｊとを重ね合わせ、重ね合わせた部分が第１縫製部１１により互いに縫い付けられ縫着している。下方周縁部６ｋ及び上方周縁部８ｊが、互いに反対側に凸の略円弧状に切り欠かれているので、重ね合わせた部分にシートの弛みが少なくなり易く、第１縫製部１１が直線状に延び易くなる。更に、中間領域８における親指部２１を含む親指領域７側の側縁部８ｓと親指領域７における中間領域８側の側縁部７ｓとを重ね合わせ、重ね合わせた部分が第２縫製部１２により互いに縫い付けられ縫着している。中間領域８の側縁部８ｓ及び親指領域７の側縁部７ｓが、同方向に凸の略円弧状に形成されているので、第２縫製部１２が略円弧状に延び易くなる。このように四指領域６、中間領域８及び親指領域７が縫い付けられて、全体としてシート状の掌部３が形成されている。
【００１９】
第１縫製部１１及び第２縫製部１２は、１本の連続するミシン縫いで形成されていてもよく、互いに平行に延びる２本以上の連続するミシン縫いで形成されていてもよい。四指領域６の下方周縁部６ｋと中間領域８の上方周縁部８ｊとを重ね合わせた部分の幅、又は中間領域８の側縁部８ｓと親指領域７の側縁部７ｓとを重ね合わせた部分の幅は、それぞれ、縫製強度の観点と手袋１を装着した際の履き心地の観点から、２ｍｍ以上１０ｍｍ以下であることが好ましく、３ｍｍ以上５ｍｍ以下であることが更に好ましい。
【００２０】
四指領域６の下方周縁部６ｋと中間領域８の上方周縁部８ｊとを重ね合わせる順番は、装着者の肌側に、四指領域６及び中間領域８の何れの領域が配されていても良いが、競技中に相手の剣から手を保護する観点から、装着者の肌側に中間領域８が配されていることが好ましい。中間領域８の側縁部８ｓと親指領域７の側縁部７ｓとを重ね合わせる順番は、装着者の肌側に、中間領域８及び親指領域７の何れの領域が配されていても良いが、同様な観点から、装着者の肌側に親指領域７が配されていることが好ましい。
【００２１】
図６に示すように、手袋１を掌部３側から平面視して、四指領域６を構成する人差指部２２及び中指部２３の間の底部２６と、四指領域６を構成する薬指部２４及び小指部２５の間の底部２７とを結ぶ仮想線ＩＬに対して、仮想線ＩＬの傾きよりも急になるように、第１縫製部１１が人差指部２２の根元側から斜め下方に直線状に延びている。第１縫製部１１の傾きが仮想線ＩＬの傾きよりも急になっているとは、言い換えれば、第１縫製部１１の傾き（変化の割合）の絶対値が、仮想線ＩＬの傾き（変化の割合）の絶対値よりも大きくなっていることである。ここで「底部２６」とは、手袋１を掌部３側から平面視したときに、人差指部２２と中指部２３との間の谷における底を意味する。同様に、「底部２７」とは、手袋１を掌部３側から平面視したときに、薬指部２４と小指部２５との間の谷における底を意味する。
【００２２】
第１縫製部１１が直線状に延びているとは、図６に示すように手袋１を掌部３側から平面視して、第１縫製部１１が一直線に延びていることのみならず、曲線等で延びていることも含む意味である。
【００２３】
図６に示すように、手袋１を掌部３側から平面視して、第２縫製部１２は、第１縫製部１１側に凸の円弧状に延びる部分１２ａを有している。円弧状に延びる部分１２ａは、装着者の母指球に沿って延びている。
【００２４】
手袋１の掌部３が、斜め下方に直線状に延びる第１縫製部１１と、第１縫製部１１側に凸の円弧状に延びる部分１２ａとを有しているので、手袋１の装着者が、図７（ａ）及び（ｂ）に示すように、手袋１を介してフェンシングの剣のグリップ１０ａ，１０ｂを握ったときに、掌部３に皺が発生し難く、装着者の掌と剣のグリップ１０ａ，１０ｂとの間に隙間が生じ難くなり、グリップ１０ａ，１０ｂとの一体感が得られ易くなっている。手袋１の掌部３を介して装着者の掌が剣のグリップ１０ａ，１０ｂの形状に沿い易くなり、グリップ１０ａ，１０ｂとの一体感が向上すると、手袋１を介してフェンシングの剣の操作性が向上する。掌部３が第１縫製部１１と第２縫製部１２とを有しているので、手袋１は、図７（ａ）に示すピストル型に形成されたベルギアンスタイルの剣のグリップ１０ａにも、図７（ｂ）に示すストレート型に形成されたフレンチスタイルの剣のグリップ１０ｂにも対応することができる。
【００２５】
図６に示す手袋１においては、第１縫製部１１が装着者の人差指における親指側の根元近傍から装着者の小指球に向かって斜め下方に直線状に延びており、円弧状に延びる部分１２ａが装着者の母指球に沿って延びている。その為、掌部３を介して装着者の掌が剣のグリップ１０ａ，１０ｂの形状に沿い易く、グリップ１０ａ，１０ｂとの一体感が更に向上するので、フェンシングの剣の操作性が更に向上する。
【００２６】
フェンシングの剣の操作性を向上させる観点から、図６に示すように手袋１を掌部３側から平面視して、第１縫製部１１と仮想線ＩＬとがなす鋭角αは、５°以上、６０°以下であることが好ましく、２０°以上、４５°以下であることが更に好ましい。尚、第１縫製部１１が曲線等で延びているときには、装着者の人差指における根元側の始点と装着者の小指球側の終点とを結ぶ第２仮想線を引き、該第２仮想線と仮想線ＩＬとのなす鋭角を、鋭角αとする。
【００２７】
手袋１の装着者が手袋１を介してフェンシングの剣のグリップ１０ａ，１０ｂを握ったときに、掌部３に皺が発生し難く、グリップ１０ａ，１０ｂとの一体感が得られ易くなる観点から、図７（ａ）及び（ｂ）に示すように剣を握ったときに、剣のグリップ１０ａ，１０ｂの延びる方向ＧＬと、第１縫製部１１の延びる方向とが略一致していることが好ましい。
【００２８】
図６に示すように、手袋１を掌部３側から平面視して、第１縫製部１１と円弧状に延びる部分１２ａとの間隔Ｗは、装着者の人差指側よりも装着者の小指球側の方が大きくなっている。その為、手袋１の装着者が、手袋１を介してフェンシングの剣のグリップ１０ａ，１０ｂを握ったときに、装着者の掌とグリップ１０ａ，１０ｂとの一体感が更に得られ易くなっている。この効果を一層奏する観点から、間隔Ｗは、装着者の人差指側から小指球側に向かって、段階的に大きくなっていることが好ましく、漸次大きくなっていることが更に好ましい。「間隔Ｗ」とは、第１縫製部１１を形成するミシン縫いの位置と、第２縫製部１２を形成するミシン縫いの位置との間隔を意味し、ミシン縫いが複数本である場合には、互いに最も近接する第１縫製部１１のミシン縫いの位置と、第２縫製部１２のミシン縫いの位置との間隔を意味する。
【００２９】
特に図７（ｂ）に示すストレート型に形成されたフレンチスタイルの剣のグリップ１０ｂに対して一体感が得られ易く、フェンシングの剣の操作性を向上させる観点から、図６に示すように手袋１を掌部３側から平面視して、第１縫製部１１と第２縫製部１２とは、装着者の人差指側において、互いに平行に延びる部分Ｐを有していることが好ましい。この効果を一層奏する観点から、該部分Ｐは、剣を握ったときに、剣のグリップ１０ｂの延びる方向ＧＬと、平行に延びる部分Ｐの延びる方向とが略一致していることが好ましい。
【００３０】
図７（ｂ）に示すフレンチスタイルの剣のグリップ１０ｂに対して一体感が得られ易く、剣の操作性を向上させる観点から、平行に延びる部分Ｐは、フレンチスタイルの剣のグリップ１０ｂを握ったときに、グリップ１０ｂにおける下方の端部の位置と一致するように形成されていることが好ましい。平行に延びる部分Ｐは、その延びる方向の長さが、５ｍｍ以上４０ｍｍ以下であることが好ましく、１０ｍｍ以上２５ｍｍ以下であることが更に好ましい。平行に延びる部分Ｐにおいて、第１縫製部１１と第２縫製部１２との間隔Ｗは、３ｍｍ以上１５ｍｍ以下であることが好ましく、５ｍｍ以上１０ｍｍ以下であることが更に好ましい。
【００３１】
手袋１の形成材料について説明する。
四指領域６、中間領域８及び親指領域７の形成材料としては、同じシート材であってもよく、異なるシート材であってもよい。図７（ａ）及び（ｂ）に示すフェンシングの剣のグリップ１０ａ，１０ｂを握ったときのグリップとの一体感が得られ易くなる観点から、四指領域６、中間領域８及び親指領域７のシート材の中で、親指領域７のシート材の剛軟度が最も低いことが好ましい。そして、四指領域６及び中間領域８のシート材の剛軟度は、同じであってもよく、四指領域６のシート材の剛軟度が中間領域８のシート材の剛軟度よりも低くてもよい。フェンシングの剣のグリップ１０ａ，１０ｂを握ったときのグリップとの一体感が得られ易くなる観点から、中間領域８のシート材の剛軟度が四指領域６のシート材の剛軟度よりも低いことが好ましい。即ち、親指領域７のシート材の剛軟度  ＜＜  中間領域８のシート材の剛軟度  ≦  四指領域６というシート材の剛軟度の関係となっていることが最も好ましい。シート材の剛軟度は、ＪＩＳ  Ｌ  １０９６Ａ法の４５°カンチレバー法に基づいて測定することができる。測定値は小さいほど、剛軟度が低く、柔らかいことを意味する。四指領域６、中間領域８及び親指領域７のシート材の剛軟度を測定するときの測定サンプルの寸法は、２０ｍｍ×１５０ｍｍである。四指領域６、中間領域８及び親指領域７のシート材を手袋１から切り出すときに、前記寸法に切り出せない場合には、幅２０ｍｍで且つ長手方向に可能な限り長い寸法に切り出したものを測定サンプルとする。測定サンプルの幅方向は、シート材を構成する繊維の配向方向や、シート材を製造する際の機械方向がわかる場合には、配向方向又は機械方向に一致させることが好ましい。
【００３２】
フェンシングの剣のグリップを握ったときに破れ難く耐久性を向上させ、且つ競技中に相手の剣から手を保護する観点から、四指領域６、中間領域８及び親指領域７のシート材の中で、親指領域７のシート材の貫通強さが最も大きいことが好ましい。また、四指領域６及び中間領域８のシート材の貫通強さは、同じであってもよく、四指領域６のシート材の貫通強さが中間領域８のシート材の貫通強さよりも大きくてもよい。競技中に相手の剣から手を保護する観点から、中間領域８のシート材の貫通強さが四指領域６のシート材の貫通強さよりも大きいことが好ましい。即ち、親指領域７のシート材の貫通強さ  ＞＞  中間領域８のシート材の貫通強さ  ≧  四指領域６というシート材の貫通強さの関係となっていることが最も好ましい。シート材の貫通強さは、ＪＩＳ  Ｌ  ８０５１法に準じ、手袋１から切り出した四指領域６、中間領域８又は親指領域７のシート材に、ＥＮ１３５６７準用の試験錘（針）を試験速度１０００ｍｍ／ｍｉｎで突き刺し、針が貫通するときの貫通強さ（Ｎ）を引張り試験機（例えばインストロン社製の品番「３３６０」）を用いて測定することができる。測定値は大きいほど、貫通強さに優れ、耐久性が向上することを意味する。
【００３３】
フェンシングの剣のグリップを握ったときに破れ難く耐久性を向上させ、且つ競技中に相手の剣から手を保護する観点から、親指領域７のシート材の貫通強さは、１００Ｎ以上であることが好ましく、３００Ｎ以上であることが更に好ましい。親指領域７におけるシート材の貫通強さの上限は、特に制限されるものではなく、大きければ大きい程好ましいが、８００Ｎ程度であれば、十分に満足すべき効果が得られる。中間領域８のシート材の貫通強さは、１０Ｎ以上、１２０Ｎ以下であることが好ましく、２５Ｎ以上、７５Ｎ以下であることが更に好ましい。四指領域６のシート材の貫通強さは、１０Ｎ以上、１００Ｎ以下であることが好ましく、２５Ｎ以上、５０Ｎ以下であることが更に好ましい。
【００３４】
掌部３を構成する四指領域６、中間領域８及び親指領域７のシート材としては、天然皮革、合成皮革、合成繊維製の織編物、若しくはニット等が挙げられ、又はこれらのシート材を積層した積層シート等が挙げられる。また、天然皮革、合成皮革、合成繊維製の織編物、又はニットの裏面に合成樹脂のエアーフォームシート、又はウレタンシート等を積層した積層シートが挙げられる。手袋１の耐久性の観点から、四指領域６及び中間領域８のシート材としては、天然皮革又は合成皮革を用いたシートが好ましく用いられる。通気性が良好で柔らかい観点から、親指領域７のシート材としては、合成繊維製の織編物が好ましく用いられる。親指領域７の該織編物を構成する合成繊維としては、ポリエステル繊維、ナイロン繊維、ポリプロプレン繊維、ポリエチレン繊維、ポリアミド繊維、アクリル繊維、ポリウレタン繊維、レーヨン繊維、アセテート繊維等が挙げられ、柔らかさと耐久性の両立の観点から、ポリアミド繊維が好ましく用いられる。
【００３５】
甲部４及び襠部５のシート材としては、天然皮革、合成皮革、合成繊維製の織編物、若しくはニット等が挙げられ、又はこれらのシート材を積層した積層シート等が挙げられる。また、天然皮革、合成皮革、合成繊維製の織編物、又はニットの裏面に合成樹脂のエアーフォームシート、又はウレタンシート等を積層した積層シートが挙げられる。競技中に相手の剣から手を保護する観点から、甲部４のシート材としては、天然皮革又は合成皮革の裏面に合成樹脂のエアーフォームシート又はウレタンシートを積層した積層シートが好ましく用いられる。競技中に相手の剣から手を保護する観点から、襠部５のシート材としては、天然皮革、合成皮革、又はポリアミド繊維製の織編物が好ましく用いられる。
【００３６】
フェンシングの剣のグリップを握ったときに破れ難く耐久性を向上させる観点から、第２縫製部１２の接合強度が、第１縫製部１１の接合強度よりも大きいことが好ましい。破断強度は、手袋１から第１縫製部１１又は第２縫製部１２を含むように切り出したものを測定サンプルとして求めることができる。具体的に測定サンプルは、その長手方向を手袋１の縦方向Ｘに一致させ、長手方向の中央に第１縫製部１１又は第２縫製部１２が位置するように、幅１０ｍｍで手袋１から切り出したものとする。この測定サンプルを引張り試験機（例えばインストロン社製の品番「３３６０」）に取り付けて引っ張ったときの最大破断強度を接合強度とする。測定条件としては、チャック間距離を５０ｍｍとし、引張速度を５０ｍｍ／ｍｉｎとする。
【００３７】
第１縫製部１１又は第２縫製部１２を構成するミシン縫いの縫い目のピッチは、手袋１の耐久性の観点から、３個／１０ｍｍ以上１０個／１０ｍｍ以下であることが好ましく、４個／１０ｍｍ以上７個／１０ｍｍ以下であることが更に好ましい。
【００３８】
第２縫製部１２の接合強度を第１縫製部１１の接合強度よりも大きくする方法としては、例えば、第２縫製部１２を構成するミシン縫いの本数を、第１縫製部１１を構成するミシン縫いの本数よりも多くしたり、第２縫製部１２を構成するミシン縫いの縫い目のピッチを、第１縫製部１１を構成するミシン縫いの縫い目のピッチよりも細かくしたりすることが挙げられる。見栄えの観点から、第２縫製部１２におけるミシン縫いの縫い目のピッチを第１縫製部１１におけるミシン縫いの縫い目のピッチよりも細かくすることが好ましい。
【００３９】
第１縫製部１１及び第２縫製部１２を構成するミシン縫いのミシン糸としては、ポリアミド、ポリエステル、アクリル、ビニロン、レーヨン、ポリプロピレン等の化合繊維、綿、絹、麻、毛等の天然繊維、又はそれらの混紡繊維等が挙げられる。手袋１において、甲部４と襠部５との縫製、掌部３と襠部５との縫製等に用いるミシン糸としても、同様な繊維を用いることができる。
【００４０】
以上、本発明の手袋をその好ましい実施形態の手袋１に基づき説明したが、本発明は前記実施形態に制限されない。
【００４１】
例えば上述した本実施形態の手袋１は、掌部３と甲部４との間に襠部５が配されているが、襠部５が配されておらず、掌部３と甲部４とが直接縫製により縫い付けられていてもよい。また、手袋１は、四指領域６、中間領域８及び親指領域７の３つのシート材を縫製により縫い付けて掌部３を形成しているが、掌部３を補強する観点から、３つのシート材に加えて、他のシート材が縫い付けられていてもよい。
【００４２】
また、手袋１は、掌部３の周縁部と甲部４の周縁部とを、襠部５を介して縫製により縫い付けて形成されているが、該縫製による部分を補強する観点から、掌部３、甲部４及び襠部５に加えて、別のシート材が縫い付けられていてもよい。具体的には、親指部２１から人差指部２２に亘る別のシート材が、該縫製による部分上に更に縫い付けられていてもよい。
【符号の説明】
【００４３】
１  フェンシング用手袋
２  指袋
２１  親指部、２２  人差指部、２３  中指部、２４  薬指部、２５  小指部
２６，２７  底部
３  掌部
６  四指領域
７  親指領域
８  中間領域
１１  第１縫製部
１２  第２縫製部
１２ａ  円弧状に延びる部分
ＩＬ  仮想線
ＧＬ  剣のグリップの延びる方向
【図１】
2020196976.tif 000003
【図２】
2020196976.tif 000004
【図３】
2020196976.tif 000005
【図４】
2020196976.tif 000006
【図５】
2020196976.tif 000007
【図６】
2020196976.tif 000008
【図７】
2020196976.tif 000009